(57)【要約】【課題】  電子銃において、カソードの電子放出能力を劣化させること及び電子銃の全長を長くすることなく、電子銃の耐電圧特性を向上させる。【解決手段】  カソードと複数の電極を含む制御電極群とアノードと複数の端子ピンを保持するステム構体と複数のリードとを含む電子銃において、複数の端子ピンがオスネジ部２５Ｃを有する第１端子ピン２５を含み、複数のリードがオスネジ部２６Ｃを有する第１リード２６を含み、電子銃が第１端子ピン２５のオスネジ部２５Ｃと第１リード２６のオスネジ部２６Ｃとがねじ込まれたメスネジ部２７Ｃを有する接続体２７を更に含む構成とする。【選択図】  図３
2006164885.tif 000002
【特許請求の範囲】
【請求項１】
電子ビームを放出するカソードと、
前記電子ビームの進行方向に配列させた複数の電極を含む制御電極群と、
前記制御電極群より前記電子ビームの進行方向の前方に設けられたアノードと、
複数の端子ピンを保持するステム構体と、
前記複数の端子ピンに電気的に接続され、前記複数の端子ピンに印加される電圧を前記カソード及び前記制御電極群に伝達する複数のリードとを含む電子銃であって、
前記複数の端子ピンが、オスネジ部を有する第１端子ピンを含み、
前記複数のリードが、オスネジ部を有する第１リードを含み、
前記電子銃が、前記第１端子ピンの前記オスネジ部と前記第１リードの前記オスネジ部とがねじ込まれたメスネジ部を有する接続体を更に含むことを特徴とする電子銃。
【請求項２】
前記第１端子ピンと前記第１リードとが接触している請求項１に記載の電子銃。
【請求項３】
前記接続体の内部に設けられ、前記第１端子ピン及び前記第１リードの双方に接触する導電体を更に含む請求項１に記載の電子銃。
【請求項４】
前記接続体が導電性を有し、
前記第１端子ピンと前記第１リードとが離隔している請求項１に記載の電子銃。
【請求項５】
前記第１端子ピンを構成する材料の熱膨張係数をα１とし、前記第１リードを構成する材料の熱膨張係数をα２とし、前記接続体を構成する材料の熱膨張係数をα３として、
α１≧α３、及び、α２≧α３を満たす請求項１に記載の電子銃。
【請求項６】
前記接続体が、パイプ形状であり、
前記メスネジ部のネジ旋回方向が、前記メスネジ部の全体にわたって一定方向である請求項１に記載の電子銃。
【請求項７】
前記メスネジ部が、大口径部と、ネジ山径が前記大口径部のネジ山径より小さい小口径部とを有し、
前記大口径部が、前記第１リードの前記オスネジ部及び前記第１端子ピンの前記オスネジ部の一方に対応する形状であり、
前記小口径部が、前記第１リードの前記オスネジ部及び前記第１端子ピンの前記オスネジ部の他方に対応する形状であり、
前記大口径部のネジ山径が、前記第１リードの前記オスネジ部及び前記第１端子ピンの前記オスネジ部のうち前記小口径部に対応するオスネジ部のネジ山径以上である請求項１に記載の電子銃。
【請求項８】
前記大口径部のネジピッチが、前記小口径部のネジピッチより大きい請求項７に記載の電子銃。
【請求項９】
前記第１端子ピンと前記第１リードとが、圧着している請求項８に記載の電子銃。
【請求項１０】
前記接続体の内部に設けられ、前記第１リード及び前記第１端子ピンの双方に圧着した導電体を更に含む請求項８に記載の電子銃。
【請求項１１】
前記メスネジ部が、第１旋回部と、ネジ旋回方向が前記第１旋回部のネジ旋回方向と逆方向である第２旋回部とを有し、
前記第１旋回部と前記第２旋回部とが、略同軸であり、
前記第１旋回部が、前記第１リードの前記オスネジ部及び前記第１端子ピンの前記オスネジ部の一方に対応する形状であり、
前記第２旋回部が、前記第１リードの前記オスネジ部及び前記第１端子ピンの前記オスネジ部の他方に対応する形状である請求項１に記載の電子銃。
【請求項１２】
前記接続体が、パイプ形状である請求項１１に記載の電子銃。
【請求項１３】
前記第１端子ピンと前記第１リードとが圧着している請求項１２に記載の電子銃。
【請求項１４】
前記接続体の内部に設けられ、前記第１端子ピン及び前記第１リードの双方に圧着した導電体を更に含む請求項１２に記載の電子銃。
【請求項１５】
フェースパネルと、
前記フェースパネルに接合され、ネック部を有するファンネルと、
前記フェースパネルの内面に形成された蛍光体スクリーンと、
前記ファンネルの前記ネック部の内部に設けられ、前記ネック部に接合されたステム構体を有し、電子ビームを射出する電子銃と、
前記電子ビームを偏向させる偏向器とを含む陰極線管装置であって、
前記電子銃が、請求項１〜１４のいずれか一項に記載の電子銃であることを特徴とする陰極線管装置。
【発明の詳細な説明】
【技術分野】
【０００１】
本発明は、電子銃に関する。また、本発明は、電子銃を備えた陰極線管を用いたテレビジョン受像機やコンピュータ用ディスプレイ等の陰極線管装置に関する。
【背景技術】
【０００２】
陰極線管に内蔵される従来の典型的な電子銃としては、電子銃本体と、電子銃本体に電圧を供給するための複数の端子ピンを有するステム構体と、電子銃本体を構成する電極とステム構体の端子ピンとに溶接されたリードとを含む構成が知られている（例えば、特許文献１参照）。
【０００３】
陰極線管に内蔵される従来の典型的な電子銃について、図面を参照しながら説明する。図１７（Ａ）は、従来の典型的な電子銃の構造の一例を表す模式的な上面図であり、図１７（Ｂ）はその模式的な側面図であり、図１７（Ｃ）は、従来の典型的な電子銃における端子ピンとリードとの接合部近傍の模式的な断面図である。図１７（Ａ）及び（Ｂ）に示された電子銃１０１においては、カソード（図示せず）と、カソード側（図１７（Ａ）及び（Ｂ）の下側）からアノード側（図１７（Ａ）及び（Ｂ）の上側）に向けて配列された複数の電極を含む制御電極群１０と、アノード１６とが順に配置されている。制御電極群１０は、第１グリッド電極１１、第２グリッド電極１２、第３グリッド電極１３、第４グリッド電極１４及び電極１５Ａ〜Ｄを有する集束電極１５を含む。アノード１６は最終加速電極である。制御電極群１０を構成する各電極及びアノード１６は、一対の絶縁支持体２０によって一体的に保持されている。
【０００４】
電子銃１０１のアノード側の端部にはアノード１６に電気的に接続されたシールドカップ１７と複数個の弾性支持体１８とが設けられている。アノード１６には、弾性支持体１８及びシールドカップ１７を介して高電圧（陽極高圧）が供給される。通常の陰極線管において、弾性支持体１８は、外囲器（図示せず）のファンネル（図示せず）に形成された内部導電膜（図示せず）に接触しており、ファンネルに形成された高圧端子（図示せず）から内部導電膜を介して弾性支持体１８に電圧が供給される。
【０００５】
電子銃１０１のカソード側の端部にはステム構体１２３が配置されている。ステム構体１２３は、リング部１２４と複数の端子ピン１２５を有する。複数の端子ピン１２５は、導電性材料で構成されており、制御電極群１０を構成する電極やカソード及びカソード加熱用のヒータ（図示せず）等に対して所定の電圧や電流を供給するために設けられている。複数の端子ピン１２５は、図１７（Ｃ）に示されたように、リング部１２４の中心を中心とする円周上に配置されており、リング部１２４によって保持されている。複数の端子ピン１２５を構成する材料としては、例えば、ニッケルが挙げられる。
【０００６】
制御電極群１０を構成する電極と端子ピン１２５とを電気的に接続するために、電子銃１０の概ね中心軸方向に沿った細長いリード１２６が設けられている。リード１２６は、導電性材料で構成されており、リード１２６を構成する材料としては、例えば、ステンレス合金（ＳＵＳ３０４等）が挙げられる。
【０００７】
説明を簡便に行うために、電極と端子ピンとの接続について、制御電極群１０において最も高い電圧が供給される集束電極１５と端子ピン１２５とを接続する場合を一例として説明する。集束電極１５とこれに対応する端子ピン１２５との間にリード１２６を架け渡し、アノード１６側に位置するリード１２６の電極側端部１２６Ａを集束電極１５に溶接し、かつリード１２６の端子ピン側端部１２６Ｂを端子ピン１２５の内部側部分１２５Ａ（陰極線管の内部側に位置する部分）に溶接していた。より具体的には、リード１２６は、集束電極１５Ａに溶接されており、各電極１５Ａ〜１５Ｄは導電体１９等によって電気的に接続されている。
【０００８】
ここで、リード１２６の構造について説明する。図１８（Ａ）及び（Ｂ）は、それぞれ、リードの構造の一例を表す模式的な上面図及び模式的な側面図である。図１８（Ａ）及び（Ｂ）に示されたように、リード１２６は、絶縁支持体２０（図１７（Ａ）及び（Ｂ）参照）との接触を避けるために略Ｌ字形状に成形されている。略Ｌ字形状に成形されたリード１２６の電極側端部１２６Ａが、略四角形の平面形状に形成されており、電極１５Ａと溶接される。また、略直角に曲げ成形されたリード１２６の端子ピン側端部１２６Ｂが、略四角形の平面形状に形成されており、端子ピン１２５の陰極線管の内部側に位置する内部側部分１２５Ａと溶接される。
【０００９】
リード１２６と端子ピン１２５との接合部について説明する。図１９（Ａ）及び（Ｂ）は、それぞれ、リードと端子ピンとの接合部の構造例を表す模式的な上面図及び模式的な側面図である。図１９に示されたように、端子ピン１２５の内部側部分１２５Ａとリード１２６の端子ピン側端部１２６Ｂは互いに交差し、この交差部で両者が溶接によって接合されていた。
【００１０】
しかし、この溶接によって、制御電極群１０や絶縁支持体２０の表面にスプラッシュやベーパーが発生するために、耐電圧特性が劣化する。特に、制御電極群１０のうち最も高電圧が印加される集束電極１５に接続されるリード１２６と集束電極１５との接合部及びリード１２６と端子ピン１２５との接合部におけるスプラッシュやベーパーは、耐電圧特性を大幅に劣化させる。
【００１１】
このような陰極線管用の電子銃１０１においては、耐電圧特性を向上させる一つの方策として、リード１２６を集束電極１５とステム構体１２３の端子ピン１２５との双方に溶接により接合し、その後、水等による洗浄によってスプラッシュやベーパーを離脱させるか、メッキ等の導電性被膜（図示せず）の形成によってスプラッシュやベーパーを被覆することが有効とされている。ただし、電子銃１０１の電子源であるカソードの電子を放出する能力（電子放出能力）が、水分等の吸着や導電性被膜による被覆によって無くなるか、又は大幅に劣化するために、電子銃本体へのカソードの装填は、洗浄や導電性被膜の形成後に行う必要があった。
【特許文献１】特開２００３−２１７４７３号公報
【発明の開示】
【発明が解決しようとする課題】
【００１２】
電極及び端子ピンの双方とリードとを溶接した後にカソードを電子銃本体に装填することは、構造上は不可能ではないが、それらの溶接後にカソードを装填しようとすれば、カソードを装填する空間を確保するために電子銃本体とステム構体との間隔を大きくしなければならなかった。つまり、電子銃の全長を長くしなければならなかった。
【００１３】
また、電子銃の全長が長くなれば、その電子銃を備えた陰極線管の全長も長くなるために、陰極線管に対する近年の省スペース化及び省エネルギー化に逆行することになる。
【００１４】
そこで、本発明では、電子銃において、カソードの電子放出能力を劣化させることなく、かつ電子銃の全長を長くすることなく、電子銃の耐電圧特性を向上させる（第１の課題）。また、本発明では、省スペース化・省エネルギー化に逆行することなく、陰極線管装置の耐電圧特性を向上させる（第２の課題）。
【課題を解決するための手段】
【００１５】
上記の第１の課題を解決するために、本発明に係る電子銃は、電子ビームを放出するカソードと、電子ビームの進行方向に配列させた複数の電極を含む制御電極群と、制御電極群より電子ビームの進行方向の前方に設けられたアノードと、複数の端子ピンを保持するステム構体と、複数の端子ピンに電気的に接続され、複数の端子ピンに印加される電圧をカソード及び制御電極群に伝達する複数のリードとを含む電子銃であって、複数の端子ピンが、オスネジ部を有する第１端子ピンを含み、複数のリードが、オスネジ部を有する第１リードを含み、電子銃が、第１端子ピンのオスネジ部と第１リードのオスネジ部とがねじ込まれたメスネジ部を有する接続体を更に含むことを特徴とする。
【００１６】
上記の第２の課題を解決するために、本発明に係る陰極線管装置は、フェースパネルと、フェースパネルに接合され、ネック部を有するファンネルと、フェースパネルの内面に形成された蛍光体スクリーンと、ファンネルのネック部の内部に設けられ、ネック部に接合されたステム構体を有し、電子ビームを射出する電子銃と、電子ビームを偏向させる偏向器とを含む陰極線管装置であって、電子銃が、本発明に係る電子銃であることを特徴とする。
【発明の効果】
【００１７】
本発明の電子銃であれば、電子銃本体にカソードを装填した後に、接続体を用いたねじ止めによって第１端子ピンと第１リードとを電気的に接続できるために、カソードの電子放出能力を劣化させることなく、かつ電子銃の全長を長くすることなく、電子銃の耐電圧特性を向上させることができる。
【００１８】
また、本発明の陰極線管装置であれば、本発明の電子銃を用いることによって、省スペース化・省エネルギー化に逆行することなく、陰極線管装置の耐電圧特性を向上させることができる。
【発明を実施するための最良の形態】
【００１９】
本発明に係る電子銃は、上述のように、アノードと、複数の電極を含む制御電極群と、アノードと、少なくとも１つの第１端子ピンを含む複数の端子ピンを有するステム構体と、少なくとも１つ第１リードを含む複数のリードと、少なくとも１つの接続体とを含む。第１端子ピンはオスネジ部を有し、第１リードはオスネジ部を有し、接続体は第１端子ピンのオスネジ部及び第１リードのオスネジ部に対応する形状であるメスネジ部を有する。第１端子ピンと第１リードとは、接続体によってねじ止めされている。本発明に係る電子銃は、第１端子ピン、第１リード及び接続体を有すること以外、公知のいかなる電子銃と同一の構成であってもよい。
【００２０】
複数の端子ピンには、オスネジ部を有していない第２端子ピンが含まれていてもよい。この場合、第２端子ピンは、公知のいかなる端子ピンと同一の構成であってもよい。また、複数のリードには、オスネジ部を有していない第２リードが含まれていてもよい。この場合、第２リードは、公知のいかなるリードと同一の構成であってもよい。
【００２１】
本発明に係る電子銃においては、制御電極群を構成する複数の電極のうち少なくとも１つの電極に、第１端子ピン、接続体及び第１リードを介して、外部から電圧が供給される。したがって、制御電極群を構成する複数の電極の全てに、第１端子ピン、接続体及び第１リードを介して電圧が供給されてもよい。特に、制御電極群のうち第１端子ピン、接続体及び第１リードを介して電圧の印加される少なくとも１つの電極が、制御電極群のうち最も高電圧が印加される電極を含むことが好ましい。
【００２２】
更に、アノードに他の第１端子ピン、他の接続体及び他の第１リードを介して、外部から電圧が供給されてもよい。また、電子銃がカソードを加熱するヒータを備える場合には、他の第１端子ピン、他の接続体及び他の第１リードを介して、外部からヒータに電流が供給されてもよい。また、電子銃本体において電圧又は電流の供給が必要な部材の全てに、第１端子ピン、接続体及び第１リードを介して電圧又は電流が供給されてもよい。
【００２３】
第１端子ピンと第１リードとは、電子銃本体にカソードを装填した後に、接続体を用いたねじ止めによって電気的に接続される。これにより、カソードを装填した後に洗浄や導電性被膜の形成を行わなくても、耐電圧特性を向上させることができる。
【００２４】
本発明に係る電子銃では、第１端子ピンと第１リードとが接触していることが好ましい。第１端子ピンと第１リードとが、直接的に電気的に接続されるからである。この場合、接続体は、導電性を有していてもよいし、絶縁性を有していてもよい。接続体が導電性を有する場合には、第１端子ピンと第１リードとは接続体を介して間接的にも電気的に接続される。
【００２５】
本発明に係る電子銃では、接続体の内部に、第１端子ピン及び第１リードの双方に接触する導電体を更に含むことが好ましい。第１端子ピンと第１リードとが、導電体を介して間接的に電気的に接続されるからである。この場合、接続体は、導電性を有していてもよいし、絶縁性を有していてもよい。
【００２６】
本発明に係る電子銃では、接続体が導電性を有し、第１端子ピンと第１リードとが離隔している構成にできる。この場合、第１端子ピンと第１リードとが、接続体を介して間接的に電気的に接続される。
【００２７】
本発明に係る電子銃では、接続体がパイプ形状であり、メスネジ部のネジ旋回方向が一定方向である構成にできる。この場合、接続体は、１つの貫通孔を有し、メスネジ部を構成するネジ山及びネジ溝が１つの貫通孔の側面に形成された形状である。この接続体を用いた場合、予め第１端子ピン又は第１リードに接続体をねじ込んでおき、第１端子ピン及び第１リードを同軸上に配列させた後に接続体を他方に移動させる。これにより、接続体のメスネジ部の内部（貫通孔）に第１端子ピンのオスネジ部及び第１リードのオスネジ部を配置させることができる。メスネジ部のネジ山径、ネジ谷径及びネジピッチは、メスネジ部の全体にわたって同一であってもよいし、全体にわたっては同一でなくてもよい。
【００２８】
本発明に係る電子銃では、メスネジ部が、第１旋回部と、ネジ旋回方向が第１旋回部のネジ旋回方向と逆方向である第２旋回部とを有し、第１旋回部と第２旋回部とが略同軸であり、第１旋回部が、第１端子ピンのオスネジ部及び第１リードのオスネジ部の一方に対応する形状であり、第２旋回部が、第１端子ピンのオスネジ部及び第１リードのオスネジ部の他方に対応する形状である構成にできる。ここで、「ネジ旋回方向」とは、ネジ軸の周りのネジ山の回転方向を意味し、右回り及び左回りのいずれかである。この場合、第１端子ピン、接続体及び第１リードを同軸上にこの順序で配列させた後に、第１端子ピンを回転することによって、第１端子ピンのオスネジ部及び第１リードのオスネジ部を接続体のメスネジ部に同時にねじ込むことができる。メスネジ部のネジ山径、ネジ谷径、ネジピッチは及びメスネジ部の全体にわたって同一であってもよいし、全体にわたっては同一でなくてもよい。
【００２９】
接続体が第１旋回部と第２旋回部とを有する場合、接続体は、１つの貫通孔を有し、第１旋回部のネジ山及びネジ溝と第２旋回部のネジ山及びネジ溝とが１つの貫通孔の側面に形成されたパイプ形状（第１の形状）であってもよいし、２つの陥没穴を有し、第１旋回部のネジ山及びネジ溝が一方の陥没穴の側面に形成され、かつ第２旋回部のネジ山及びネジ溝が他方の陥没穴の側面に形成された形状（第２の形状）であってもよい。
【００３０】
本発明に係る電子銃では、接続体が第１旋回部と第２旋回部とを有する場合、接続体がパイプ形状（第１の形状）であることが好ましい。この場合、接続体を作製する際において１つの貫通孔に第１旋回部のネジ山及びネジ溝と、第２旋回部のネジ山及びネジ溝とを形成すればよいために、第１旋回部のネジ軸と第２旋回部のネジ軸との軸合わせが容易となり、第１の形状の接続体を第２の形状の接続体よりも簡便にかつ高精度で作製できるからである。
【００３１】
本発明に係る陰極線管装置は、上述のように、フェースパネルと、ファンネルと、蛍光体スクリーンと、本発明の電子銃と、偏向器とを含む。本発明に係る陰極線管装置は、本発明の電子銃を有する以外は、公知のいかなる陰極線管装置と同一の構成であってもよい。陰極線管装置としては、例えば、テレビジョン受像機やコンピュータ用ディスプレイ等が挙げられる。
【００３２】
以下において、本発明に係る電子銃について、図面を参照しながら詳細に説明する。
【００３３】
（実施の形態１）
実施の形態１においては、本発明に係る電子銃の構造の一形態について説明する。図１（Ａ）は、実施の形態１に係る電子銃の構造例を表す模式的な上面図であり、図１（Ｂ）は、その模式的な側面図である。なお、本実施の形態１に係る電子銃は、ステム構体の複数の端子ピンと複数のリードとの接続構造が一部異なること以外は図１７（Ａ）及び（Ｂ）に示された電子銃と同一の構成であるため、同一の構成の部材には同一の参照符号を付し、その詳細な説明を省略する。
【００３４】
図１（Ａ）又は（Ｂ）に示されたように、電子銃１は、カソード（図示せず）、カソード加熱用のヒータ（図示せず）、制御電極群１０、アノード１６、シールドカップ１７及び複数の弾性支持体１８を備えた電子銃本体と、リング部２４、第１端子ピン２５及び複数の第２端子ピン２５’を有するステム構体２３と、第１リード２６と、複数の第２リード２６’と、接続体２７とを含む。なお、第２端子ピン２５’は、公知のいかなる端子ピンと同一の構成であってもよい。また、第２リード２６’は、公知のいかなるリードと同一の構成であってもよい。
【００３５】
制御電極群１０は、カソード側（図１（Ａ）及び（Ｂ）の下側）からアノード側（図１（Ａ）及び（Ｂ）の上側）に向けて順次に配列させた、第１グリッド電極１１と、第２グリッド電極１２と、第３グリッド電極１３と、第４グリッド電極１４と、複数の電極１５Ａ〜Ｄを有する集束電極１５とを備える。制御電極群１０を構成する各電極（第１グリッド電極１１〜第４グリッド電極１４及び集束電極１５の複数の電極１５Ａ〜Ｄ）及びアノード１６は、一対の絶縁支持体２０によって一体的に保持されている。
【００３６】
第１端子ピン２５及び複数の第２端子ピン２５’は、リング部２４の中心を中心とする円周上に配置されており、リング部２４によって保持されている。なお、ステム構体２３には、陰極線管の外囲器（図示せず）に電子銃１を装填した後に外囲器の内部を真空引きするための細管（チューブ）（図示せず）をリング部２４と一体的に有する。
【００３７】
集束電極１５に電圧を供給するための第１端子ピン２５と集束電極１５に接合された第１リード２６とが接続体２７によって接続されている。外囲器の内部に配置されることとなる第１端子ピン２５の内部側部分２５Ａは、屈曲形状であり、外部側部分２５Ｂと平行なリング部側の直線部と、リング部側の直線部と鈍角をなす第１リード側の直線部とを有する。また、第１リード２６は、屈曲形状であり、集束電極側の直線部と、集束電極側の直線部と鈍角をなす第１端子ピン側の直線部とを有する。なお、図１（Ａ）及び（Ｂ）には、第１端子ピン２５の内部側部分２５Ａ及び第１リード２６が屈曲形状である場合を示したが、この構造には限定されない。
【００３８】
第１端子ピン２５の内部側部分２５Ａ及び第１リード２６が屈曲形状であれば、他の端子ピン２５’及び制御電極群１０を構成する他の電極（第１グリッド電極１１〜第４グリッド電極１４）や絶縁支持体２０との接触を良好に避けることができる。また、第１端子ピン２５及び第１リード２６の屈曲角が鈍角であるため、直角又は鋭角である場合に比べて、屈曲部の電界集中を避けることができる。これにより、第１端子ピン２５及び第１リード２６から、それらの近隣に配置された第２端子ピン２５’や第２リード２６’や制御電極群１０を構成する他の電極への放電が抑制される。
【００３９】
接続体２７による第１端子ピン２５及び第１リード２６の接続構造について説明する。図２（Ａ）は、本実施の形態１における接続体の構造例を表す模式的な側面図であり、図２（Ｂ）は、その模式的な正面図である。図２（Ａ）及び（Ｂ）に示されたように、接続体２７は、貫通孔を有するパイプ形状であり、貫通孔の側面にネジ山３３Ａ及びネジ溝３３Ｂが形成された長さＬ１のメスネジ部を有する。接続体２７の全体にわたって、メスネジ部は同軸であり、ネジ山３３Ａの直径（ネジ山径）φ１及びネジ溝３３Ｂの直径（ネジ溝径）φ２がそれぞれ同一であり、ネジ旋回方向が一定であり、かつ、隣接するネジ山３３Ａの間隔（ネジピッチ）が同一である。
【００４０】
図３（Ａ）は、接続体によって接続された第１端子ピン及び第１リードとを部分的に表した模式的な平面図であり、図３（Ｂ）は、図３（Ａ）における接続部近傍の構造を拡大して詳細に表した平面図である。図３（Ａ）又は（Ｂ）に示されたように、第１端子ピン２５の第１リード側の直線部には、第１リード側の端から所定の距離Ｌ２までの領域に形成されたオスネジ部２５Ｃを有する。また、第１リード２６の第１端子ピン側の直線部には、第１端子ピン側の端から所定の距離Ｌ３までの領域に形成されたオスネジ部２６Ｃを有する。オスネジ部２５Ｃ及びオスネジ部２６Ｃの少なくとも一部は、接続体２７のメスネジ部にねじ込まれている。これにより、第１端子ピン２５と第１リード２６とが接続される。また、オスネジ部２５Ｃとオスネジ部２６Ｃとは端部で接触しており、接続体２７が導電性であっても絶縁性であっても、それらは電気的に接続される。
【００４１】
ここで、本実施の形態１に係る電子銃の製造方法について具体例を２つ挙げて説明する。まず、第１の製造方法について説明する。なお、便宜上、図１を参照する。予め、カソード電極（図示せず）及びカソード加熱用のヒータ（図示せず）を除く電子銃本体と、第１端子ピン２５及び複数の第２端子ピン２５’を有するステム構体２３と、第１リード２６と、複数の第２リード２６’と、接続体２７とを作製しておく。なお、これらの作製においては、公知のいかなる技術を用いてもよい。
【００４２】
まず、集束電極１５に第１リード２６を溶接し、かつ電子銃本体を構成する他の所望の電極の各々に第２リード２６’を溶接する。次に、第２端子ピン２５’と第２リード２６’とを溶接する。次に、溶接時に発生したスプラッシュやベーパーを純水等による洗浄によって除去する、又は、それらを被覆する導電性被膜（図示せず）を形成する。次に、第１端子ピン２５、第１リード２６及び接続体２７が配置されることとなる空間を通して、カソード及びヒータを電子銃本体に装填する。なお、カソード及びヒータの装填においては、第１端子ピン２５や第１リード２６の位置をずらすことによって、それらを装填するための空間を確保する。次に、接続体２７によって第１端子ピン２５と第１リード２６とを接続する。これらの工程を経て、電子銃１が完成する。
【００４３】
接続体２７によって第１端子ピン２５と第１リード２６とを接続する方法について詳細に説明する。図４（Ａ）は、接続部近傍の構造例を表す第１端子ピンと第１リードとの接続前の模式的な平面図であり、図４（Ｂ）は、接続後の模式的な平面図である。
【００４４】
図４（Ａ）に示されたように、接続体２７をオスネジ部２６Ｃに回し入れて、オスネジ部２６Ｃの端面が、接続体２７の第１端子ピン側の端面と同一となるように、又は、接続体２７の第１端子ピン側の端面よりも第１端子ピン側に突出するように取り付ける。なお、集束電極１５（図１参照）と第１リード２６とを溶接する前に、接続体２７を第１リード２６に取り付けてもよい。
【００４５】
接続体２７を第１リード２６に取り付けた後に、第１端子ピン２５のオスネジ部２５Ｃと第１リード２６のオスネジ部２６Ｃとを同軸上に配列させ、かつそれらを接触させる。引き続き、オスネジ部２５Ｃとオスネジ部２６Ｃとの配置を変化させずに接続体２７を回転させて、図４（Ｂ）に示されたように、接続体２７を第１端子ピン側に移動させる。
【００４６】
上記の第１の製造方法を適用すれば、洗浄又は導電性被膜の形成がカソード及びヒータの装填前に行われるため、カソードの電子放出特性の劣化が起こらない。また、カソードを装填する際には、第１端子ピン２５と第１リード２６とがまだ固定されておらず、それらの位置をずらすことができるために、電子銃本体とステム構体２３（図１参照）との間隔を長くしなくても、カソード及びヒータを装填するために必要な空間を確保できる。また、溶接後に行う洗浄又は導電性被膜の形成によって、溶接の際に発生したスプラッシュやベーパーに起因する耐電圧特性への悪影響が良好に防止され、耐電圧特性が向上する。
【００４７】
次に、第２の製造方法について説明する。なお、便宜上、図１を参照する。まず、集束電極１５に第１リード２６を溶接し、かつ電子銃本体を構成する他の所望の電極の各々に第２リード２６’を溶接する。次に、溶接時に発生したスプラッシュやベーパーを純水等による洗浄によって除去する、又は、それらを被覆する導電性被膜（図示せず）を形成する。次に、カソード（図示せず）及びヒータ（図示せず）を電子銃本体に装填する。次に、第２端子ピン２５’と第２リード２６’とを溶接する。次に、接続体２７によって第１端子ピン２５と第１リード２６とを接続する。これらの工程を経て、電子銃１が完成する。
【００４８】
上記の第２の製造方法を適用すれば、洗浄又は導電性被膜の形成をカソードの装填後には行わないために、カソードの電子放出特性の劣化が起こらない。また、第１端子ピン２５と第１リード２６との接続や第２端子ピン２５’と第２リード２６’との溶接前、つまり電子銃本体とステム構体２３とが全く接合されていない状態でカソードが装填されるために、電子銃本体とステム構体２３との間隔を長くする必要が生じない。また、第２端子ピン２５’と第２リード２６’とを溶接する際に発生したスプラッシュやベーパーに起因する耐電圧特性への悪影響は防止できないが、集束電極１５と第１リード２６との溶接及び他の所望の電極の各々と第２リード２６’との溶接で発生したスプラッシュやベーパーに起因する耐電圧特性への悪影響は、その後に行う洗浄や導電性被膜の形成によって防止できる。更に、第１端子ピン２５と第１リード２６との溶接は行なわれないために、溶接箇所が減少し、カソード及びヒータを装填した後に発生するスプラッシュやベーパーの発生量自体を抑制できる。第１端子ピン２５と第１リード２６との溶接が行われないために、第１端子ピン２５や第１リード２６に付着するスプラッシュやベーパーの量が特に減少する。これらにより、耐電圧特性が向上する。
【００４９】
なお、本実施の形態１のように、第１端子ピン２５及び第１リード２６に複数の第２端子ピン２５’及び複数の第２リード２６’よりも高電圧が印加される構成の場合には、耐電圧特性への悪影響を特に良好に抑制できる。なぜなら、第１端子ピン２５及び第１リード２６に付着したスプラッシュやベーパーが、耐電圧特性に悪影響を与える最も大きな要因であるからである。
【００５０】
図４（Ｂ）に示されたように、接続体２７のメスネジ部の内部に配置されるオスネジ部２５Ｃの長さとオスネジ部２６Ｃの長さとは略同一であることが好ましい。第１端子ピン２５と第１リード２６とを接続する強度（以下においては、接続強度とも称する）を最大にできるからである。これは、接続強度の最大値が、接続体２７と第１端子ピン２５とを固定する強度（以下において、ピン固定強度とも称する）及び接続体２７と第１リード２６とを固定する強度（以下において、リード固定強度とも称する）のうち弱い方の強度で決定され、接続体２７の内部に配置されるオスネジ部２５Ｃとオスネジ部２６Ｃとの長さが異なる場合のピン固定強度及びリード固定強度の一方は、必ず、それらが同一の値である場合よりも小さくなることによる。
【００５１】
オスネジ部２６Ｃの長さＬ３は、接続体２７のメスネジ部の長さＬ１以上（Ｌ３≧Ｌ１）とし、第１端子ピン２５と第１リード２６とを接触させる。好ましくは、Ｌ３≒Ｌ１を満たす場合である。この場合、接続体２７を第１リード２６に取り付ける際に、接続体２７を第１リード２６に完全に回し入れることによって、接続体２７の取り付け位置を簡便に最適化できるからである。なお、第１リード２６におけるオスネジ部２６Ｃ以外の部分の外径が接続体２７のメスネジ部のネジ山径以下であれば、Ｌ３＜Ｌ１を満たす場合であってもよい。
【００５２】
オスネジ部２５Ｃの長さＬ２は、接続体２７のメスネジ部の長さＬ１の半分以上（Ｌ２≧Ｌ１／２）であることが好ましい。この場合、接続体２７の配置を調整することによって、接続体２７のメスネジ部の内部に配置されるオスネジ部２５Ｃの長さとオスネジ部２６Ｃの長さとを同一にできるからである。更に好ましくは、Ｌ２≒Ｌ１／２を満たす場合である。接続体２７をメスネジ部２５Ｃに完全に回し入れることで、接続体２７の配置を簡便に最適化できるからである。
【００５３】
オスネジ部２５Ｃのネジ山径と接続体２７のメスネジ部のネジ溝径とが略同一であることが好ましい。また、オスネジ部２５Ｃのネジ溝径と接続体２７のメスネジ部のネジ山径とが略同一であることが好ましい。これらの場合には、オスネジ部２５Ｃと接続体２７のメスネジ部との接触面積が大きくなり、それらを固定する強度が強くなるからである。また、接続体２７が導電性を有する場合には、それらの間の導通が更に良好になる。同様の理由により、オスネジ部２６Ｃのネジ山径及びネジ溝径は、それぞれ、接続体２７のメスネジ部のネジ溝径及びネジ山径と略同一であることが好ましい。
【００５４】
接続体２７を構成する材料としては、例えば、鉄−ニッケル合金（４２アロイ、５０アロイ、５２アロイ、アンバー、スーパーアンバー）、鉄−ニッケル−コバルト合金（コバール）、ニッケル−クロム合金（インコネル６００，６０１，６１７，６２５，６９０）が挙げられる。また、第１端子ピン２５を構成する材料としては、ニッケルが挙げられる。第１リード２６を構成する材料としては、ステンレススチール合金（ＳＵＳ３０３，３０４，３０４Ｌ，３１６，３１６Ｌ，３１７Ｌ）が挙げられる。
【００５５】
図１に示された電子銃１を作動させた場合、外的又は内的な要因によって電子銃１の温度が上昇することがある。従来のような溶接による接合の場合には、端子ピン１２５（図１７（Ａ）〜（Ｃ）参照）の熱膨張係数とリード１２６（図１７（Ａ）〜（Ｃ）参照）の熱膨張係数とが異なれば、温度上昇に伴って発生する応力によって端子ピン１２５とリード１２６とを接合する強度が低下する。一方、図４（Ｂ）に示されたような接続体２７を用いた場合、温度上昇に伴って、第１端子ピン２５と第１リード２６との接続強度は増加する。接続体２７、オスネジ部２５Ｃ及びオスネジ部２６Ｃが、接続体２７のメスネジ部とオスネジ部２５Ｃ及びオスネジ部２６Ｃとの隙間を埋めるように膨張するからである。
【００５６】
第１端子ピン２５を構成する材料Ａの熱膨張係数をα１とし、第１リード２６を構成する材料Ｂの熱膨張係数をα２とし、接続体２７を構成する材料Ｃの熱膨張係数をα３として、α１≧α３、かつ、α２≧α３を満たすことが好ましい。オスネジ部２５Ｃと接続体２７のメスネジ部との隙間を埋める効果は、α１≧α３を満たす場合の方が、α１＜α３を満たす場合よりも大きくなるからである。また、同様の理由により、オスネジ部２６Ｃと接続体２７のメスネジ部との隙間を埋める効果は、α２≧α３を満たす場合の方が、α２＜α３を満たす場合よりも大きくなるからである。なお、隙間を埋める効果は、α１＞α３を満たす場合の方がα１＝α３を満たす場合よりも大きく、α２＞α３を満たす場合の方がα２＝α３を満たす場合よりも大きい。
【００５７】
材料Ａ、材料Ｂ及び材料Ｃの好ましい組み合わせ（材料Ａ，材料Ｂ，材料Ｃ）としては、例えば、（ニッケル，ステンレススチール合金：ＳＵＳ３０４，鉄−ニッケル合金：４２アロイ）、（ニッケル，ステンレススチール合金：ＳＵＳ３０４，鉄−ニッケル−コバルト合金：コバール）、（ニッケル，ステンレススチール合金：ＳＵＳ３１６，ニッケル−クロム合金：インコネル６００）が挙げられる。
【００５８】
上記においては、図４（Ｂ）に示されたように、接続体２７の全体がメスネジ部であり、第１端子ピン２５が先端から連続するオスネジ部２５Ｃを有し、第１リード２６が先端から連続するオスネジ部２６Ｃを有する場合について説明したが、この構成には限定されない。ここで、本実施の形態１における接続体、第１端子ピン及び第１リードの変形例について説明する。図５（Ａ）〜（Ｃ）は、接続体近傍の構造の変形例を表す模式的な断面図である。
【００５９】
本実施の形態１における接続体は、中央部にネジ山及びネジ溝の形成されていない非ネジ部を有していてもよいし、少なくとも一方の先端部に非ネジ部を有していてもよい。具体例としては、図５（Ａ）に示されたように、第１リード側の端部に形成された第１のメスネジ部３７Ａと、第１端子ピン側の端部に形成された第２のメスネジ部３７Ｂと、第１のメスネジ部３７Ａと第２のメスネジ部３７Ｂとの間（中央部）に形成された非ネジ部３７Ｃを有する接続体３７が例示できる。ただし、非ネジ部３７Ｃの内径は、オスネジ部２５Ｃ及び第２のオスネジ部２６Ｃのネジ山径以上でなければならない。また、他の具体例としては、図５（Ｂ）に示されたように、第１リード側の先端部に形成された第１の非ネジ部４７Ｄと、第１端子ピン側の先端部に形成された第２の非ネジ部４７Ｅと、第１の非ネジ部４７Ｄと第２の非ネジ部４７Ｅとの間に形成されたメスネジ部４７Ａを有する接続体４７が例示できる。ただし、第１の非ネジ部４７Ｄの内径及び第２の非ネジ部４７Ｅの内径の各々は、オスネジ部２５Ｃ及び第２のオスネジ部２６Ｃのネジ山径以上でなければならない。
【００６０】
また、本実施の形態１における第１端子ピン及び／又は第１リードは、先端部に非ネジ部を有していてもよい。具体例としては、図５（Ｃ）に示されたように、第１リード側の先端部に形成された非ネジ部３５Ｄと、非ネジ部３５Ｄに連設されたオスネジ部３５Ｃとを有する第１端子ピン３５や、第１端子ピン側の先端部に形成された非ネジ部３６Ｄと、非ネジ部３６Ｄに連設されたオスネジ部３６Ｃとを有する第１リード３６が例示できる。ただし、非ネジ部３５Ｄの外形及び非ネジ部３６Ｄの外径の各々は、接続体２７のメスネジ部のネジ山径以下でなければならない。
【００６１】
接続体が中央部や少なくとも一方の端部に非ネジ部を有する場合や、第１端子ピン及び／又は第１リードが先端部に非ネジ部を有する場合は、接続体と第１端子ピン及び第１リードとの接触面積が小さくなるために、接続強度の観点からは、図４（Ｂ）に示された構成が好ましい。なお、接続体が少なくとも一方の端部に非ネジ部を有する場合や第１端子ピン及び／又は第１リードが先端部に非ネジ部を有する場合には、第１端子ピンと第１リードとを接続する際の接続体の回転数を図４（Ｂ）に示された場合よりも低減できるために、それらを簡便に接続できる。
【００６２】
上記においては、接続体２７を予め第１リード２６に取り付けた後に、第１端子ピン側に移動させる場合について説明したが、接続体を予め第１端子ピンに取り付けた後に、第１リード側に移動させることもできる。ただし、この場合には、第１端子ピンのオスネジ部の長さと第１リードのオスネジ部の長さを上記の場合と反対の構成にする。
【００６３】
上記においては、第１端子ピン２５と第１リード２６とが接触している構成について説明したが、この構造には限定されない。図６は、本実施の形態１における接続部近傍の構造の他の変形例を表す模式的な断面図である。接続体２７が導電性を有する場合には、図６に示されたように、第１端子ピン２５と第１リード２６とは離隔していてもよい。また、図７は、本実施の形態１における接続部近傍の構造の他の変形例を表す模式的な断面図である。図７に示されたように、接続体２７のメスネジ部の内部（貫通孔）に配置された導電体２８を介して、第１端子ピン２５と第１リード２６とが間接的に電気的に接続されていてもよい。
【００６４】
（実施の形態２）
本実施の形態２においては、本発明に係る電子銃の構造の一形態について説明する。なお、本実施の形態２に係る電子銃は、接続体による第１端子ピンと第１リードとの接続構造が上記の実施の形態１の場合と異なる。したがって、上記の実施の形態１との相違部分についてのみ詳細に説明する。
【００６５】
図８（Ａ）は、本実施の形態２における接続体の構造を表す模式的な側面図であり、図８（Ｂ）は、その模式的な正面図である。図８（Ａ）及び（Ｂ）に示されたように、接続体５７の全体が長さＬ４のメスネジ部であり、メスネジ部が大口径部５７Ａと小口径部５７Ｂとを有する。大口径部５７Ａのネジ山径及びネジ溝径をそれぞれφ１Ａ及びφ２Ａとし、小口径部５７Ｂのネジ山径及びネジ溝径をそれぞれφ１Ｂ及びφ２Ｂとして、大口径部５７Ａのネジ山径φ１Ａは小口径部５７Ｂのネジ山径φ１Ｂよりも大きく、大口径部５７Ａのネジ山径φ１Ａは小口径部５７Ｂに対応するオスネジ部のネジ山径（小口径部のネジ溝径φ２Ｂと概ね同じ）以上である。なお、図８（Ａ）及び（Ｂ）には、φ２Ａ＞φ１Ａ＞φ２Ｂ＞φ１Ｂを満たす場合が例示されている。
【００６６】
図９（Ａ）は、本実施の形態２における接続部近傍の構造例を表す第１端子ピンと第１リードとの接続前の模式的な平面図であり、図９（Ｂ）は、その接続後の模式的な平面図である。図９（Ａ）に示されたように、第１端子ピン５５には、第１リード側の端から所定の距離Ｌ５までの領域に形成されたオスネジ部５５Ｃを有する。また、第１リード５６には、第１端子ピン側の端から所定の距離Ｌ６までの領域に形成されたオスネジ部５６Ｃを有する。大口径部５７Ａがオスネジ部５５Ｃに対応する形状であり、小口径部５７Ｂがオスネジ部５６Ｃに対応する形状である。
【００６７】
ここで、本実施の形態２に係る電子銃を製造する方法の一例について説明する。なお、上記の実施の形態１における製造方法との相違部分についてのみ詳細に説明する。
【００６８】
図９（Ａ）に示されたように、上記の実施の形態１の場合と同様に、接続体５７を第１リード５６に取り付ける。ただし、小口径部５７Ｂの側から接続体５７をオスネジ部５６Ｃに回し入れる。接続体５７の取り付け後に、上記の実施の形態１の場合と同様にして、接続体５７を第１端子ピン側に移動させる。これにより、第１端子ピン５５と第１リード５６とを接続できる。
【００６９】
接続体５７の内部に配置される大口径部５７Ａの長さと小口径部５７Ｂの長さとの比は、ピン固定強度とリード固定強度とが略同一となるように最適化されることが好ましい。第１端子ピン５５と第１リード５６との接続強度が同一である条件下において、接続体５７の長さＬ４を最小化できるからである。オスネジ部５６Ｃの長さＬ６は、接続体５７のメスネジ部の長さＬ４（大口径部の長さ＋小口径部の長さ）以上（Ｌ６≧Ｌ４）にして、第１端子ピン５５と第１リード５６とを接触させる。好ましくは、Ｌ６≒Ｌ４を満たす場合である。この場合、メスネジ部５６Ｃに接続体５７を完全に回し入れることによって、第１リード５６への接続体５７の取り付け位置を簡便に最適化できるからである。また、オスネジ部５５Ｃの長さＬ５は、大口径部５７Ａの長さ以上であることが好ましい。この場合、第１端子ピン側に接続体５７を完全に移動させることによって、接続体５７の配置を簡便に最適化できるからである。
【００７０】
上記においては、接続体５７の全体が大口径部５７Ａと小口径部５７Ｂからなるメスネジ部である場合について説明したが、本実施の形態２における接続体は、大口径部と小口径部との間（中央部）や少なくとも一方の先端部に非ネジ部を有していてもよい。また、第１端子ピン５５が先端から連続するオスネジ部５５Ｃを有し、第１リード５６が先端から連続するオスネジ部５６Ｃを有する場合について説明したが、本実施の形態２における第１端子ピン及び／又は第１リードは、先端部に非ネジ部を有していてもよい。
【００７１】
上記においては、接続体５７を第１リード５６に取り付けた後に、第１端子ピン側に移動させる場合について説明したが、接続体を第１端子ピンに取り付けた後に、第１リード側に移動させてもよい。ただし、第１端子ピンのオスネジ部と第１リードのオスネジ部との構造を上記の場合と反対にし、小口径部側から接続体を第１端子ピンのオスネジ部に回し入れた後に、接続体を第１リード側に移動させる。
【００７２】
また、上記においては、大口径部５７Ａのネジ山径φ１Ａが小口径部５７Ｂに対応するオスネジ部５６Ｃのネジ山径以上である場合について説明したが、大口径部のネジ溝径が小口径部に対応するオスネジ部のネジ山径以上であれば、同様にして、第１端子ピンと第１リードとを接続できる。
【００７３】
上記においては、大口径部５７Ａ及びオスネジ部５５Ｃが直ネジ形状である場合について説明したが、これらの形状には限定されない。ここで、本実施の形態２における接続体、第１端子ピン及び第１リードの接続構造の変形例について説明する。図１０は、本実施の形態２における接続部近傍の構造の変形例を表す模式的な断面図である。図１０に示されたように、テーパーネジ形状であるオスネジ部６５Ｃを有する第１端子ピン６５と直ネジ形状であるオスネジ部６６Ｃを有する第１リード６６とが、オスネジ部６５Ｃに対応するテーパーネジ形状の大口径部６７Ａとオスネジ部６６Ｃに対応する直ネジ形状の小口径部６７Ｂとを有する接続体６７によって接続されていてもよい。
【００７４】
上記においては、第１端子ピン５５と第１リード５６とが接触している場合について説明したが、接続体が導電性を有する場合には、第１端子ピンと第１リードとは離隔していてもよい。また、接続体の内部（大口径部と小口径部との境界近傍）に配置された導電体を介して、第１端子ピンと第１リードとが間接的に電気的に接続されていてもよい。
【００７５】
（実施の形態３）
本実施の形態３では、本発明に係る電子銃の構造の一形態について説明する。なお、本実施の形態３に係る電子銃は、接続体による第１端子ピンと第１リードとの接続構造が上記の実施の形態１及び２の場合と異なる。以下においては、上記の実施の形態２との相違部分についてのみ詳細に説明する。
【００７６】
図１１は、本実施の形態３における接続部近傍の構造例を表す模式的な断面図である。図１１に示されたように、接続体７７の大口径部７７Ａのネジピッチが小口径部７７Ｂのネジピッチよりも大きい。
【００７７】
ここで、本実施の形態３に係る電子銃を製造する方法について説明する。なお、上記の実施の形態２における製造方法との相違部分についてのみ詳細に説明する。図１２（Ａ）は、接続部近傍の構造例を表す第１リードと第１端子ピンとの接続前の模式的な断面図であり、図１２（Ｂ）は、その接続途中の模式的な断面図であり、図１２（Ｃ）は、その接続後の模式的な断面図である。
【００７８】
図１２（Ａ）に示されたように、上記の実施の形態２と同様に、接続体７７を第１リード７６に取り付ける。ただし、大口径部７７Ａの第１端子ピン側の端面を第１リード７５の第１端子ピン側の端面よりも所定の間隔ｄ１だけ突出させる。接続体７７の取り付け後に、上記の実施の形態２と同様にして、接続体７７を第１端子ピン側に移動させる。このとき、図１２（Ｂ）に示されたように、第１端子ピン７５と第１リード７６との間隔ｄ２は間隔ｄ１よりも小さくなる。更に接続体７７を回転させて、図１２（Ｃ）に示されたように、第１端子ピン７５と第１リード７６とを接触させる。
【００７９】
上記の実施の形態１及び２の場合、第１端子ピンと第１リードとを同軸上に配列させる際の回転方向の配置精度が低ければ、第１端子ピンと第１リードとの間に隙間が発生する。しかし、本実施の形態３の場合、第１端子ピン７５と第１リード７６との間に隙間が発生しても、接続体７７を回転させることによって、その隙間を詰めることができる。したがって、第１端子ピン７５と第１リード７６とを上記の実施の形態１及び２の場合よりも確実に接触させることができる。なお、接続体７７が絶縁性を有する場合は、特に有効な構成である。
【００８０】
また、第１端子ピン７５と第１リード７６とを接触させた後に、更に接続体７７を回転させれば、それらを圧着させることもできる。上記の実施の形態１及び２の場合、第１端子ピンの端面や第１リードの端面の加工精度が低ければ、それらの接触面積が減少する。しかし、第１端子ピン７５と第１リード７６とを圧着させれば、それらの接触面積を大きく確保でき、また、それらの接触抵抗を低減できる。
【００８１】
第１端子ピン７５と第１リード７６との相対位置（ステム構体と電子銃本体との相対位置）は、上記の実施の形態１及び２の場合と異なり、接続体７７による接続の前後でずれる。その相対位置はずれない方が好ましいため、オスネジ部７５Ｃとオスネジ部７６Ｃとのネジピッチの差を小さくして、そのずれを小さくすることが好ましい。なお、全ての端子ピンの各々が第１端子ピンであり、全てのリードの各々が第１リードであり、それらが全て接続体で接続される場合はこの限りでない。
【００８２】
上記においては、第１端子ピン７５と第１リード７６とを接触させる場合について説明したが、接続体の内部（大口径部と小口径部との境界近傍）に配置された導電体を介して、それらを間接的に電気的に接続してもよい。図１３（Ａ）は、本実施の形態３における接続部近傍の他の構造例を表す第１端子ピンと第１リードとの接続前の模式的な断面図であり、図１３（Ｂ）は、その接続途中の模式的な断面図であり、図１３（Ｃ）は、その接続後の模式的な断面図である。
【００８３】
図１３（Ａ）に示されたように、オスネジ部７５Ｃとオスネジ部７６Ｃとを同軸上に配列させる際に、大口径部７７Ａの内部における第１端子ピン７５と第１リード７６との間に導電体２８を配置する。なお、導電体２８は、予め、第１端子ピン７５又は第１リード７６に固定されていてもよい。この場合、第１端子ピン７５又は第１リード７６の形成後のいかなるときに導電体２８を固定してもよい。
【００８４】
接続体７７を回転させて、図１３（Ｂ）に示されたように、接続体７７を第１端子ピン側に移動させると共に、導電体２８を第１端子ピン７５と第１リード７６との双方に接触させる。好ましくは、更に接続体７７を回転させて、図１３（Ｃ）に示されたように、第１端子ピン７５と第１リード７６との双方に導電体２８を圧着させる。この場合、第１端子ピン７５及び／又は第１リード７６の端面の加工精度が低くても、図１１に示されたように第１端子ピン７５と第１リード７６とを直接的に圧着させた場合よりも、第１端子ピン７５の端面と導電体２８との接触面積及び第１リード７６の端面と導電体２８との接触面積の双方を更に簡便にかつ更に大きく確保することができる。
【００８５】
（実施の形態４）
本実施の形態４では、本発明に係る電子銃の構造の一形態について説明する。本実施の形態４に係る電子銃は、接続体による第１端子ピンと第１リードとの接続構造が上記の実施の形態１〜３と異なる。なお、以下においては、上記の実施の形態１〜３との相違部分についてのみ詳細に説明する。
【００８６】
図１４は、本実施の形態４における接続体の構造例を表す模式的な平面図である。図１４に示されたように、接続体８７の全体がメスネジ部であり、メスネジ部が第１旋回部８７Ａと第２旋回部８７Ｂとを有する。第１旋回部８７Ａと第２旋回部８７Ａとは略同軸であり、第１旋回部８７Ａのネジ旋回方向と第２旋回部８７Ｂのネジ旋回方向とは反対方向である。
【００８７】
図１５（Ａ）は、接続部近傍の構造例を表す第１端子ピンと第１リードとの接続前の模式的な平面図であり、図１５（Ｂ）は、接続後の模式的な平面図である。図１５（Ａ）又は（Ｂ）に示されたように、第１端子ピン８５は、第１リード側の端から所定の距離までの領域に形成されたオスネジ部８５Ｃを有する。また、第１リード８６は、第１端子ピン側の端から所定の距離までの領域に形成されたオスネジ部８６Ｃを有する。第１旋回部８７Ａはオスネジ部８５Ｃに対応する形状であり、第２旋回部８７Ｂはオスネジ部８６Ｃに対応する形状である。オスネジ部８５Ｃ及びオスネジ部８６Ｃとは端部で接触しており、接続体８７が導電性であっても絶縁性であっても、第１端子ピン８５と第１リード８６とは電気的に接続される。
【００８８】
ここで、本実施の形態４に係る電子銃を製造する方法について説明する。なお、上記の実施の形態１における製造方法との相違部分についてのみ詳細に説明する。図１５（Ａ）に示されたように、オスネジ部８５Ｃと接続体８７とオスネジ部８６Ｃとを同軸上に配列させる。接続体８７を回転させて、図１５（Ｂ）に示されたように、オスネジ部８５Ｃとオスネジ部８６Ｃとを接続体８７のメスネジ部に同時にねじ込み、第１端子ピン８５と第１リード８６とを接触させる。
【００８９】
上記においては、接続体８７の全体が第１旋回部８７Ａ及び第２旋回部８７Ｂからなるメスネジ部である場合について説明したが、本実施の形態４における接続体は、第１旋回部と第２旋回部との間（中央部）や少なくとも一方の先端部に非ネジ部を有していてもよい。また、第１端子ピン８５が先端から連続するオスネジ部８５Ｃを有し、第１リード８６が先端から連続するオスネジ部８６Ｃを有する場合について説明したが、本実施の形態４における第１端子ピン及び／又は第１リードは、先端部に非ネジ部を有していてもよい。
【００９０】
第１旋回部と第２旋回部との間（中央部）に非ネジ部を有する接続体を用いれば、第１旋回部に対応する形状のオスネジ部及び第２旋回部に対応する形状のオスネジ部の双方を、接続体の非ネジ部に進入させることができる。また、先端部に非ネジ部を有する第１端子ピンを用いれば、第１端子ピンの非ネジ部を第２旋回部に進入させることができる。また、先端部に非ネジ部を有する第１リードを用いれば、第１リードの非ネジ部を第１旋回部に進入させることができる。これらの場合、第１端子ピン及び／又は第１リードのオスネジ部の長さに対する加工精度や、第１端子ピン、接続体及び第１リードを同軸上に配列させた際の回転方向の配置精度が低くても第１端子ピンと第１リードとを確実に接触させることができる。
【００９１】
上記においては、第１端子ピン８５と第１リード８６とが接触している構成について説明したが、接続体が導電性を有する場合には、第１端子ピンと第１リードとは離隔していてもよい。また、接続体の内部（第１旋回部と第２旋回部との境界近傍）に設けられた導電体を介して、第１端子ピンと第１リードとが間接的に電気的に接続されていてもよい。更に好ましくは、導電体を第１端子ピン及び第１リードの双方に圧着させる場合である。
【００９２】
上記においては、第１旋回部８７Ａのネジピッチと第２旋回部８７Ｂのネジピッチとが同一である場合について説明したが、それらは異なっていてもよい。また、第１旋回部８７Ａのネジ山径と第２旋回部８７Ｂのネジ山径とが同一である場合について説明したが、それらは異なっていてもよい。また、第１旋回部８７Ａのネジ溝径と第２旋回部８７Ｂのネジ溝径とが同一である場合について説明したが、それらは異なっていてもよい。
【００９３】
第１旋回部のネジ山径が第２旋回部に対応するオスネジ部のネジ山径（第２旋回部のネジ溝径と概ね同一）以上である構成、又は、その逆の構成が好ましい。これらの場合、第１旋回部に対応するオスネジ部及び第２旋回部に対応するオスネジ部の一方が、接続体における第１旋回部と第２旋回部との境界を越えて他方に進入できるからである。これにより、第１端子ピンと第１リードとを圧着できる。
【００９４】
上記においては、第１旋回部８７Ａ及びオスネジ部８５Ｃが直ネジ形状である場合について説明したが、本実施の形態４における接続体の第１旋回部及び第１端子ピンのオスネジ部はテーパーネジ形状であってもよい。また、第２旋回部８７Ｂ及びオスネジ部８６Ｃが直ネジ形状である場合について説明したが、本実施の形態４における接続体の第２旋回部及び第１リードのオスネジ部はテーパーネジ形状であってもよい。オスネジ部及びそれに対応するメスネジ部がテーパーネジ形状であれば、途中までは接続体の回転を伴わずにオスネジ部をメスネジ部に挿入できるために、接続の前後における第１端子ピンと第１リードとの相対位置のずれを小さくできる。
【００９５】
上記においては、接続体８７がパイプ形状である場合について説明したが、これに限定されない。ここで、接続体の変形例について説明する。図１６は、本実施の形態４における接続部近傍の他の構造例を表す模式的な断面図である。本実施の形態４における接続体の変形例としては、図１６に示されたように、略同軸である２つの陥没穴を有し、一方の陥没穴の側面にネジ山及びネジ溝が形成された第１旋回部９７Ａと、他方の陥没穴にネジ山及びネジ溝が形成された第２旋回部９７Ｂとを有する接続体９７が例示できる。
【産業上の利用可能性】
【００９６】
本発明では、電子銃の耐電圧特性を向上させるために利用できる。また、本発明では、陰極線管装置の耐電圧特性を向上させることができる。
【図面の簡単な説明】
【００９７】
【図１】図１（Ａ）は、実施の形態１に係る電子銃の構造例を表す模式的な平面図であり、図１（Ｂ）は、その模式的な正面図である。
【図２】図２（Ａ）は、実施の形態１に係る電子銃における接続体の構造例を表す模式的な側面図であり、図２（Ｂ）は、その模式的な正面図である。
【図３】図３（Ａ）は、実施の形態１に係る電子銃における接続体の近傍の構造例を部分的に拡大して表す模式的な平面図であり、図３（Ｂ）は、図３（Ａ）の接続部近傍の構造を拡大して詳細に表す模式的な平面図である。
【図４】図４（Ａ）は、実施の形態１に係る電子銃における接続部近傍の構造例を表す第１端子ピンと第１リードとの接続前の模式的な平面図であり、図４（Ｂ）は、その接続後の模式的な平面図である。
【図５】図５（Ａ）〜（Ｃ）は、実施の形態１に係る電子銃における接続部近傍の構造の変化例を表す模式的な断面図である。
【図６】図６は、実施の形態１に係る電子銃における接続部近傍の他の構造例を表す模式的な断面図である。
【図７】図７は、実施の形態１に係る電子銃における接続部近傍の他の構造例を表す模式的な断面図である。
【図８】図８（Ａ）は、実施の形態２に係る電子銃における接続体の構造例を表す模式的な側面図であり、図８（Ｂ）は、その模式的な正面図である。
【図９】図９（Ａ）は、実施の形態２に係る電子銃における接続部近傍の構造例を表す第１端子ピンと第１リードとの接続前の模式的な平面図であり、図９（Ｂ）は、その接続後の模式的な平面図である。
【図１０】図１０は、実施の形態２に係る電子銃における接続部近傍の他の構造例を表す模式的な断面図である。
【図１１】図１１は、実施の形態３に係る電子銃における接続部近傍の構造例を表す模式的な断面図である。
【図１２】図１２（Ａ）は、実施の形態３に係る電子銃における接続部近傍の構造例を表す第１端子ピンと第１リードとの接続前の模式的な断面図であり、図１２（Ｂ）は、その接続中の模式的な断面図であり、図１２（Ｃ）は、その接続後の模式的な断面図である。
【図１３】図１３（Ａ）は、実施の形態３に係る電子銃における接続部近傍の他の構造例を表すリードと端子ピンとの接続前の模式的な断面図であり、図１３（Ｂ）は、接続途中の模式的な断面図であり、図１３（Ｃ）は、接続後の模式的な断面図である。
【図１４】図１４は、実施の形態４に係る接続体の構造例を表す模式的な平面図である。
【図１５】図１５（Ａ）は、実施の形態４に係る電子銃における接続部近傍の構造例を表す第１端子ピンと第１リードとの接続前の模式的な平面図であり、図１５（Ｂ）は、接続後の模式的な平面図である。
【図１６】図１６は、実施の形態４に係る電子銃における接続部近傍の他の構造例を表す模式的な断面図である。
【図１７】図１７（Ａ）は従来の典型的な電子銃の構造例を表す模式的な上面図であり、図１７（Ｂ）はその模式的な側面図であり、図１７（Ｃ）は従来の典型的な電子銃における端子ピンとリードとの接合部近傍の模式的な断面図である。
【図１８】図１８（Ａ）は、従来の典型的な電子銃におけるリードの構造例を表す模式的な上面図であり、図１８（Ｂ）は模式的な側面図である。
【図１９】図１９（Ａ）は従来の典型的な電子銃における端子ピンとリードとの接合部の構造例を表す模式的な上面図であり、図１９（Ｂ）は模式的な側面図である。
【符号の説明】
【００９８】
１  電子銃
１０  制御電極群
１１  第１グリッド電極
１２  第２グリッド電極
１３  第３グリッド電極
１４  第４グリッド電極
１５  集束電極
１５Ａ〜Ｄ  電極
１６  アノード（最終加速電極）
１７  シールドカップ
１８  弾性支持体
１９  導電体
２０  絶縁支持体
２３  ステム構体
２４  リング部
２５，３５，５５，６５，７５，８５，９５  第１端子ピン
２５’  端子ピン
２５Ａ  内部側部分
２５Ｂ  外部側部分
２５Ｃ，３５Ｃ，５５Ｃ，６５Ｃ，７５Ｃ，８５Ｃ，９５Ｃ  オスネジ部
２６，３６，５６，７６，８６，９６  第１リード
２６’  リード
２６Ａ  電極側端部
２６Ｂ  端子ピン側端部
２６Ｃ，３６Ｃ，５６Ｃ，７６Ｃ，８６Ｃ，９６Ｃ  オスネジ部
２７，３７，４７，５７，６７，８７，９７  接続体
２８  導電体
３５Ｄ，３６Ｄ  非ネジ部
３７Ａ，３７Ｂ，４７Ａ  メスネジ部
３７Ｃ，４７Ｄ，４７Ｅ  非ネジ部
５７Ａ，６７Ａ，７７Ａ  大口径部
５７Ｂ，６７Ｂ，７７Ｂ  小口径部
８７Ａ，９７Ａ  第１旋回部
８７Ｂ，９７Ｂ  第２旋回部
１２３  ステム部
１２４  ステム構体
１２５  端子ピン
１２５Ａ  内部側部分
１２５Ｂ  外部側部分
１２６  リード
１２６Ａ  電極側端部
１２６Ｂ  端子ピン側端部
【図１】
2006164885.tif 000003
【図２】
2006164885.tif 000004
【図３】
2006164885.tif 000005
【図４】
2006164885.tif 000006
【図５】
2006164885.tif 000007
【図６】
2006164885.tif 000008
【図７】
2006164885.tif 000009
【図８】
2006164885.tif 000010
【図９】
2006164885.tif 000011
【図１０】
2006164885.tif 000012
【図１１】
2006164885.tif 000013
【図１２】
2006164885.tif 000014
【図１３】
2006164885.tif 000015
【図１４】
2006164885.tif 000016
【図１５】
2006164885.tif 000017
【図１６】
2006164885.tif 000018
【図１７】
2006164885.tif 000019
【図１８】
2006164885.tif 000020
【図１９】
2006164885.tif 000021